(57)【特許請求の範囲】
【請求項１】
絶縁層上に形成された第１グランド電極を有する第１グランド電極層と、絶縁層上に形成された第１信号電極を有する第１信号電極層とが積層された第１コンデンサ部と、
絶縁層上に形成された第１コイル電極を有する第１コイル電極層が積層された第１コイル部と、
絶縁層上に形成された第２グランド電極を有する第２グランド電極層と、絶縁層上に形成された第２信号電極を有する第２信号電極層とが積層された第２コンデンサ部と、
絶縁層上に形成された第２コイル電極を有する第２コイル電極層が積層された第２コイル部と、
を備え、
前記第１コンデンサ部、前記第１コイル部、前記第２コンデンサ部及び前記第２コイル部を積層して積層体を形成し、
さらに、
前記積層体に形成された、前記第１コイル電極の一端と接続する第１外部電極と、
前記積層体に形成された、前記第１コイル電極の他端と接続する第２外部電極と、
前記積層体に形成された、前記第２コイル電極の一端と接続する第３外部電極と、
前記積層体に形成された、前記第２コイル電極の他端と接続する第４外部電極と、
を備え、
前記第１コイル部は、前記第１コイル電極と前記第１外部電極とを接続する第１引出し電極と、前記第１コイル電極と前記第２外部電極とを接続する第２引出し電極と、を備え、
前記第２コイル部は、前記第２コイル電極と前記第３外部電極とを接続する第３引出し電極と、前記第２コイル電極と前記第４外部電極とを接続する第４引出し電極と、を備え、
前記第１引出し電極と前記第３引出し電極とは絶縁層を介して対向し、それらの間にノイズ循環容量が形成されていること、
を特徴とするＬＣ複合電子部品。
【請求項２】
前記第１コンデンサ部及び前記第１コイル部の間に絶縁層上に形成された第１共振調整電極と、前記第２コンデンサ部及び前記第２コイル部の間に絶縁層上に形成された第２共振調整電極と、を備え、
前記第１共振調整電極は前記第３外部電極に接続され、前記第１信号電極とで共振調整容量を形成し、
前記第２共振調整電極は前記第１外部電極に接続され、前記第２信号電極とで共振調整容量を形成し、
前記第１共振調整電極と前記第２引出し電極に接続されている前記第１コイル電極との間、及び、前記第２共振調整電極と前記第４引出し電極に接続されている前記第２コイル電極との間に、それぞれノイズ循環容量が形成されていること、
を特徴とする請求項１に記載のＬＣ複合電子部品。
【発明の詳細な説明】
【技術分野】
【０００１】
本発明は、ＬＣ複合電子部品、特に、複数のインダクタ素子やキャパシタ素子を備えたＬＣ複合電子部品に関する。
【背景技術】
【０００２】
一般に、回路基板上に配置された信号配線を流れるノイズを有効に除去するために、例えば、携帯電話における受信感度劣化を防止するために、各信号配線にノイズフィルタを配置している。携帯電話は通信方式によって使用される周波数帯域が異なる。どのような通信方式の携帯電話に対してもノイズを有効に除去するためには、８００ＭＨｚ〜２ＧＨｚ程度の広い帯域にわたってノイズを除去することが必要となる。
【０００３】
従来、ノイズフィルタとして用いられる、インダクタ素子を有する複数のコイル部と複数のコンデンサ部とを積層したＬＣ複合電子部品としては、特許文献１に記載のものが知られている。この種のＬＣ複合電子部品でノイズ除去効果を向上させるには、フィルタ定数、即ち、Ｌ値やＣ値を大きく設定する必要がある。しかし、Ｌ値やＣ値を大きくするには、積層枚数を増加させるか、電極パターンの面積を大きくする必要があり、小型化を維持することが困難である。
【特許文献１】実開平７−１０９１４号公報
【発明の開示】
【発明が解決しようとする課題】
【０００４】
そこで、本発明の目的は、大型化を招来することなくノイズ抑制効果の大きなＬＣ複合電子部品を提供することにある。
【課題を解決するための手段】
【０００５】
前記目的を達成するため、本発明の一形態であるＬＣ複合電子部品は、
絶縁層上に形成された第１グランド電極を有する第１グランド電極層と、絶縁層上に形成された第１信号電極を有する第１信号電極層とが積層された第１コンデンサ部と、
絶縁層上に形成された第１コイル電極を有する第１コイル電極層が積層された第１コイル部と、
絶縁層上に形成された第２グランド電極を有する第２グランド電極層と、絶縁層上に形成された第２信号電極を有する第２信号電極層とが積層された第２コンデンサ部と、
絶縁層上に形成された第２コイル電極を有する第２コイル電極層が積層された第２コイル部と、
を備え、
前記第１コンデンサ部、前記第１コイル部、前記第２コンデンサ部及び前記第２コイル部を積層して積層体を形成し、
さらに、
前記積層体に形成された、前記第１コイル電極の一端と接続する第１外部電極と、
前記積層体に形成された、前記第１コイル電極の他端と接続する第２外部電極と、
前記積層体に形成された、前記第２コイル電極の一端と接続する第３外部電極と、
前記積層体に形成された、前記第２コイル電極の他端と接続する第４外部電極と、
を備え、
前記第１コイル部は、前記第１コイル電極と前記第１外部電極とを接続する第１引出し電極と、前記第１コイル電極と前記第２外部電極とを接続する第２引出し電極と、を備え、
前記第２コイル部は、前記第２コイル電極と前記第３外部電極とを接続する第３引出し電極と、前記第２コイル電極と前記第４外部電極とを接続する第４引出し電極と、を備え、
前記第１引出し電極と前記第３引出し電極とは絶縁層を介して対向し、それらの間にノイズ循環容量が形成されていること、
を特徴とする。
【０００６】
前記ＬＣ複合電子部品は、コンデンサ部とコイル部によって複数のＬＣ共振回路を積層体内に構成し、信号配線を流れるノイズを除去する。このとき、積層体内に形成されたコイル電極間にノイズ循環容量が発生することにより、ノイズの反射を抑制し、ノイズが除去される。
【０００７】
前記ＬＣ複合電子部品において、前記第１コンデンサ部及び前記第１コイル部の間に絶縁層上に形成された第１共振調整電極と、前記第２コンデンサ部及び前記第２コイル部の間に絶縁層上に形成された第２共振調整電極と、を備え、前記第１共振調整電極は前記第３外部電極に接続され、前記第１信号電極とで共振調整容量を形成し、前記第２共振調整電極は前記第１外部電極に接続され、前記第２信号電極とで共振調整容量を形成し、前記第１共振調整電極と前記第２引出し電極に接続されている前記第１コイル電極との間、及び、前記第２共振調整電極と前記第４引出し電極に接続されている前記第２コイル電極との間に、それぞれノイズ循環容量が形成されていてもよい。
【発明の効果】
【０００８】
本発明によれば、コイル部とコンデンサ部とからなる複数のＬＣ共振回路に流れ込んだノイズがコイル電極を循環することでノイズ循環容量が発生することにより、ノイズの反射を抑制し、ノイズを効果的に除去することができる。積層枚数を大きく増加させたり、電極パターンの面積を大きくする必要はなく、ＬＣ複合電子部品の小型化を維持することができる。
【発明を実施するための最良の形態】
【０００９】
以下、本発明に係るＬＣ複合電子部品の実施例について添付図面を参照して説明する。なお、以下に説明する各実施例において共通する部品、部分は同じ符号を付し、重複する説明は省略する。
【００１０】
（第１実施例、図１〜図３参照）
第１実施例であるＬＣ複合電子部品（ノイズフィルタアレイ）の分解斜視図を図１に、等価回路図を図２に示す。このＬＣ複合電子部品は、概略、第１及び第２コンデンサ部１０，２０と第１及び第２コイル部３０，４０とを積層した積層体にて構成されている。なお、積層体の上下表面部には図示しない絶縁層が外層体として積層されており、他の実施例でも同様である。
【００１１】
第１コンデンサ部１０は、それぞれ、絶縁層（具体的にはセラミックシートを意味する、以下同じ）上に形成されたグランド電極１１ａを有するグランド電極層１１と、グランド電極１２ａを有するグランド電極層１２と、信号電極１３ａ，１３ｂを有する信号電極層１３と、信号電極１４ａ，１４ｂを有する信号電極層１４とを積層したものである。第２コンデンサ部２０は、それぞれ、絶縁層上に形成されたグランド電極２１ａを有するグランド電極層２１と、グランド電極２２ａを有するグランド電極層２２と、信号電極２３ａ，２３ｂを有する信号電極層２３と、信号電極２４ａ，２４ｂを有する信号電極層２４とを積層したものである。これらの電極層が積層されることにより、コンデンサＣ１，Ｃ２，Ｃ３，Ｃ４（図２参照）を形成している。
【００１２】
第１コイル部３０は、それぞれ、絶縁層上に形成されたコイル電極３１ａ，３１ｃを有するコイル電極層３１と、コイル電極３２ａ，３２ｃを有するコイル電極層３２とを積層したものである。第２コイル部４０は、それぞれ、絶縁層上に形成されたコイル電極４１ａ，４１ｃを有するコイル電極層４１と、コイル電極４２ａ，４２ｃを有するコイル電極層４２とを積層したものである。これらの電極層が積層されることにより、各コイル電極は絶縁層に形成したビアホールを介して螺旋状に接続され、コイルＬ１，Ｌ２，Ｌ３，Ｌ４（図２参照）を形成している。
【００１３】
第１コンデンサ部１０と第１コイル部３０との間には、絶縁層５１上に形成された共振調整電極５１ａ，５１ｂを有する電極層及び無地の絶縁層５２が積層されている。また、第２コンデンサ部２０と第２コイル部４０との間には、絶縁層５３上に形成された共振調整電極５３ａ，５３ｂを有する電極層及び無地の絶縁層５４が積層されている。第１コイル部３０と第２コイル部４０との間には無地の絶縁層５５が積層されている。
【００１４】
以上の積層体の表面には、図１では形成箇所のみを示しているが、外部電極１pin in、１pin out、２pin in、２pin out、３pin in、３pin out、４pin in、４pin outが形成されている（図２参照）。コイル電極３１ａの端部に位置する引出し電極３１ｂは外部電極１pin outに接続され、コイル電極３１ｃの端部に位置する引出し電極３１ｄは外部電極４pin outに接続されている。コイル電極３２ａの端部に位置する引出し電極３２ｂは外部電極１pin inに接続され、コイル電極３２ｃの端部に位置する引出し電極３２ｄは外部電極４pin inに接続されている。
【００１５】
コイル電極４１ａの端部に位置する引出し電極４１ｂは外部電極２pin inに接続され、コイル電極４１ｃの端部に位置する引出し電極４１ｄは外部電極３pin inに接続されている。コイル電極４２ａの端部に位置する引出し電極４２ｂは外部電極２pin outに接続され、コイル電極４２ｃの端部に位置する引出し電極４２ｄは外部電極３pin outに接続されている。
【００１６】
また、信号電極１３ａ，１４ａは外部電極２pin outに接続され、信号電極１３ｂ，１４ｂは外部電極３pin outに接続されている。信号電極２３ａ，２４ａは外部電極１pin outに接続され、信号電極２３ｂ，２４ｂは外部電極４pin outに接続されている。
【００１７】
以上の各コンデンサ部１０，２０及び各コイル部３０，４０は図２に示す等価回路を形成している。それぞれの入出力用の外部電極間にはＬ１，Ｃ１、Ｌ２，Ｃ２、Ｌ３，Ｃ３、Ｌ４，Ｃ４からなるＬＣ共振回路が形成され、ノイズフィルタとして機能する。
【００１８】
また、共振調整電極５１ａは、外部電極２pin inに接続され、信号電極１４ａとで共振調整のための容量Ｃ１１を形成している。共振調整電極５１ｂは、外部電極３pin inに接続され、信号電極１４ｂとで共振調整のための容量Ｃ１２を形成している。共振調整電極５３ａは、外部電極１pin inに接続され、信号電極２３ａとで共振調整のための容量Ｃ１３を形成している。共振調整電極５３ｂは、外部電極４pin inに接続され、信号電極２３ｂとで共振調整のための容量Ｃ１４を形成している。
【００１９】
さらに、コイル電極３１ａと共振調整電極５１ａとの間にはノイズ循環容量Ｃ２１が形成される。コイル電極３１ｃと共振調整電極５１ｂとの間にはノイズ循環容量Ｃ２２が形成される。コイル電極４２ａと共振調整電極５３ａとの間にはノイズ循環容量Ｃ２３が形成される。コイル電極４２ｃと共振調整電極５３ｂとの間にはノイズ循環容量Ｃ２４が形成される。引出し電極３２ｂと引出し電極４１ｂとの間にはノイズ循環容量Ｃ２５が形成される。引出し電極３２ｄと引出し電極４１ｄとの間にはノイズ循環容量Ｃ２６が形成される。
【００２０】
以上のごとく、積層体内でノイズ循環容量Ｃ２１〜Ｃ２６が発生することによりノイズの反射が抑制され、ノイズが除去されることになる。本第１実施例での反射特性を図３（Ａ）の曲線Ａに示し、減衰特性を図３（Ｂ）の曲線Ａに示す。なお、曲線Ｂは前記特許文献１に記載のノイズフィルタにおける反射特性及び減衰特性である。
【００２１】
（第２実施例、図４〜図６参照）
第２実施例であるＬＣ複合電子部品（ノイズフィルタアレイ）の分解斜視図を図４に、等価回路図を図５に示す。このＬＣ複合電子部品は、概略、コンデンサ部６０と第１及び第２コイル部３０，４０とを積層した積層体にて構成されている。
【００２２】
コンデンサ部６０は、それぞれ、絶縁層上に形成されたグランド電極６１ａを有するグランド電極層６１と、信号電極６２ａ，６２ｂを有する信号電極層６２と、信号電極６３ａ，６３ｂを有する信号電極層６３とを積層したものである。これらの電極層が積層されることにより、コンデンサＣ１，Ｃ２，Ｃ３，Ｃ４（図５参照）を形成している。
【００２３】
第１コイル部３０は、それぞれ、絶縁層上に形成されたコイル電極３１ａ，３１ｃを有するコイル電極層３１と、コイル電極３２ａ，３２ｃを有するコイル電極層３２と、コイル電極３３ａ，３３ｃを有するコイル電極層３３とを積層したものである。第２コイル部４０は、それぞれ、絶縁層上に形成されたコイル電極４１ａ，４１ｃを有するコイル電極層４１と、コイル電極４２ａ，４２ｃを有するコイル電極層４２と、コイル電極４３ａ，４３ｃを有するコイル電極層４３とを積層したものである。これらの電極層が積層されることにより、各コイル電極は絶縁層に形成したビアホールを介して螺旋状に接続され、コイルＬ１，Ｌ２，Ｌ３，Ｌ４（図５参照）を形成している。
【００２４】
コンデンサ部６０とコイル部３０，４０との間には、無地の絶縁層６４，６４が積層されている。第１コイル部３０の上面には、絶縁層６５上に形成されたノイズ循環容量電極６５ａを有する電極層が積層されている。さらに、第２コイル部４０の下面には、絶縁層６６上に形成されたノイズ循環容量電極６６ａを有する電極層が積層されている。
【００２５】
以上の積層体の表面には、図４では形成箇所のみを示しているが、外部電極１pin in、１pin out、２pin in、２pin out、３pin in、３pin out、４pin in、４pin outが形成されている（図５参照）。コイル電極３１ａの端部に位置する引出し電極３１ｂは外部電極２pin inに接続され、コイル電極３１ｃの端部に位置する引出し電極３１ｄは外部電極３pin inに接続されている。コイル電極３３ａの端部に位置する引出し電極３３ｂは外部電極２pin outに接続され、コイル電極３３ｃの端部に位置する引出し電極３３ｄは外部電極３pin outに接続されている。
【００２６】
コイル電極４１ａの端部に位置する引出し電極４１ｂは外部電極１pin outに接続され、コイル電極４１ｃの端部に位置する引出し電極４１ｄは外部電極４pin outに接続されている。コイル電極４３ａの端部に位置する引出し電極４３ｂは外部電極１pin inに接続され、コイル電極４３ｃの端部に位置する引出し電極４３ｄは外部電極４pin inに接続されている。
【００２７】
また、信号電極６２ａは外部電極２pin outに接続され、信号電極６２ｂは外部電極３pin outに接続されている。信号電極６３ａは外部電極１pin outに接続され、信号電極６３ｂは外部電極４pin outに接続されている。
【００２８】
以上のコンデンサ部６０及びコイル部３０，４０は図５に示す等価回路を形成している。それぞれの入出力用の外部電極間にはＬ１，Ｃ１、Ｌ２，Ｃ２、Ｌ３，Ｃ３、Ｌ４，Ｃ４からなるＬＣ共振回路が形成され、ノイズフィルタとして機能する。
【００２９】
また、引出し電極３１ｂ，３１ｄとノイズ循環容量電極６５ａとの間にはノイズ循環容量Ｃ３１が形成され、引出し電極４３ｂ，４３ｄとノイズ循環容量電極６６ａとの間にはノイズ循環容量Ｃ３２が形成される。このように、積層体内でノイズ循環容量Ｃ３１，Ｃ３２が発生することによりノイズの反射が抑制され、ノイズが除去されることになる。本第２実施例での反射特性を図６（Ａ）の曲線Ａに示し、減衰特性を図６（Ｂ）の曲線Ａに示す。なお、曲線Ｂは前記特許文献１に記載のノイズフィルタにおける反射特性及び減衰特性である。
【００３０】
（第３実施例、図７及び図８参照）
第３実施例であるＬＣ複合電子部品（ノイズフィルタアレイ）の分解斜視図を図７に、等価回路図を図８に示す。このＬＣ複合電子部品は、概略、コンデンサ部６０と第１及び第２コイル部３０，４０とを積層した積層体にて構成されている。
【００３１】
コンデンサ部６０は、それぞれ、絶縁層上に形成されたグランド電極６１ａを有するグランド電極層６１と、信号電極６２ａ，６２ｂ，６２ｃ，６２ｄを有する信号電極層６２と、信号電極６３ａ，６３ｂ，６３ｃ，６３ｄを有する信号電極層６３とを積層したものである。これらの電極層が積層されることにより、コンデンサＣ１，Ｃ２，Ｃ３，Ｃ４（図８参照）を形成している。
【００３２】
第１コイル部３０は、それぞれ、絶縁層上に形成されたコイル電極３１ａ，３１ｃを有するコイル電極層３１と、コイル電極３２ａ，３２ｃを有するコイル電極層３２と、コイル電極３３ａ，３３ｃを有するコイル電極層３３とを積層したものである。第２コイル部４０は、それぞれ、絶縁層上に形成されたコイル電極４１ａ，４１ｃを有するコイル電極層４１と、コイル電極４２ａ，４２ｃを有するコイル電極層４２と、コイル電極４３ａ，４３ｃを有するコイル電極層４３とを積層したものである。これらの電極層が積層されることにより、各コイル電極は絶縁層に形成したビアホールを介して螺旋状に接続され、コイルＬ１，Ｌ２，Ｌ３，Ｌ４（図８参照）を形成している。
【００３３】
コンデンサ部６０とコイル部３０，４０との間には、無地の絶縁層６４，６４が積層されている。
【００３４】
以上の積層体の表面には、図７では形成箇所のみを示しているが、外部電極１pin in、１pin out、２pin in、２pin out、３pin in、３pin out、４pin in、４pin outが形成されている（図８参照）。コイル電極３１ａの端部に位置する引出し電極３１ｂは外部電極２pin inに接続され、コイル電極３１ｃの端部に位置する引出し電極３１ｄは外部電極３pin inに接続されている。コイル電極３３ａの端部に位置する引出し電極３３ｂは外部電極２pin outに接続され、コイル電極３３ｃの端部に位置する引出し電極３３ｄは外部電極３pin outに接続されている。
【００３５】
コイル電極４１ａの端部に位置する引出し電極４１ｂは外部電極１pin outに接続され、コイル電極４１ｃの端部に位置する引出し電極４１ｄは外部電極４pin outに接続されている。コイル電極４３ａの端部に位置する引出し電極４３ｂは外部電極１pin inに接続され、コイル電極４３ｃの端部に位置する引出し電極４３ｄは外部電極４pin inに接続されている。
【００３６】
また、信号電極６２ａ，６３ａは外部電極１pin outに接続され、信号電極６２ｂ，６３ｂは外部電極４pin outに接続されている。信号電極６２ｃ，６３ｃは外部電極２pin outに接続され、信号電極６２ｄ，６３ｄは外部電極３pin outに接続されている。
【００３７】
以上のコンデンサ部６０及びコイル部３０，４０は図８に示す等価回路を形成している。それぞれの入出力用の外部電極間にはＬ１，Ｃ１、Ｌ２，Ｃ２、Ｌ３，Ｃ３、Ｌ４，Ｃ４からなるＬＣ共振回路が形成され、ノイズフィルタとして機能する。
【００３８】
また、引出し電極３１ｂ，３１ｄ間にはノイズ循環容量Ｃ３３が形成され、引出し電極４３ｂ，４３ｄ間にはノイズ循環容量Ｃ３４が形成される。このように、積層体内でノイズ循環容量Ｃ３３，Ｃ３４が発生することによりノイズの反射が抑制され、ノイズが除去されることになる。本第３実施例での反射特性や減衰特性は前記第２実施例とほぼ同様である。特に、第３実施例においては、引出し電極間で容量結合させるため、コイルの磁束を大きく妨げることがなく、コイルのＬ値を大きく設定することができる。
【００３９】
（第４実施例、図９及び図１０参照）
第４実施例であるＬＣ複合電子部品（ノイズフィルタアレイ）の分解斜視図を図９に、等価回路図を図１０に示す。このＬＣ複合電子部品は、概略、コンデンサ部６０と第１及び第２コイル部３０，４０とを積層した積層体にて構成されている。
【００４０】
コンデンサ部６０と第１及び第２コイル部３０，４０の構成は、それぞれ、前記第２実施例（図４参照）と同様であり、詳細な説明は省略する。第１コイル部３０の上面には、絶縁層６７上に形成されたノイズ循環容量電極６７ａを有する電極層が積層されている。さらに、第２コイル部４０の下面には、絶縁層６８上に形成されたノイズ循環容量電極６８ａを有する電極層が積層されている。
【００４１】
積層体の表面に外部電極１pin in、１pin out、２pin in、２pin out、３pin in、３pin out、４pin in、４pin outが形成されている点も前記第２実施例と同様であり、それらとコイル電極や信号電極との接続関係も同様である。そして、図１０の等価回路で示すように、それぞれの入出力用の外部電極間にはＬ１，Ｃ１、Ｌ２，Ｃ２、Ｌ３，Ｃ３、Ｌ４，Ｃ４からなるＬＣ共振回路が形成され、ノイズフィルタとして機能する。
【００４２】
本第４実施例において、ノイズ循環容量電極６７ａ，６８ａはコイルＬ１，Ｌ２，Ｌ３，Ｌ４とほぼ同じ平面形状をなし、コイル電極３１ａ，３１ｃとノイズ循環容量電極６７ａとの間にはノイズ循環容量Ｃ３５が形成され、コイル電極４３ａ，４３ｃとノイズ循環容量電極６８ａとの間にはノイズ循環容量Ｃ３６が形成される。このように、積層体内でノイズ循環容量Ｃ３５，Ｃ３６が発生することによりノイズの反射が抑制され、ノイズが除去されることになる。
【００４３】
（第５実施例、図１１及び図１２参照）
第５実施例であるＬＣ複合電子部品（ノイズフィルタアレイ）の分解斜視図を図１１に、等価回路図を図１２に示す。このＬＣ複合電子部品は、概略、コンデンサ部６０と第１及び第２コイル部３０，４０とを積層した積層体にて構成されている。
【００４４】
コンデンサ部６０と第１及び第２コイル部３０，４０の構成は、それぞれ、前記第２実施例（図４参照）と同様であり、詳細な説明は省略する。第１コイル部３０の上面には、絶縁層７１上に形成されたノイズ循環容量電極７１ａを有する電極層が積層されている。さらに、第２コイル部４０の下面には、絶縁層７２上に形成されたノイズ循環容量電極７２ａを有する電極層が積層されている。
【００４５】
積層体の表面に外部電極１pin in、１pin out、２pin in、２pin out、３pin in、３pin out、４pin in、４pin outが形成されている点も前記第２実施例と同様であり、それらとコイル電極や信号電極との接続関係も同様である。そして、図１２の等価回路で示すように、それぞれの入出力用の外部電極間にはＬ１，Ｃ１、Ｌ２，Ｃ２、Ｌ３，Ｃ３、Ｌ４，Ｃ４からなるＬＣ共振回路が形成され、ノイズフィルタとして機能する。
【００４６】
本第５実施例において、ノイズ循環容量電極７１ａはコイル電極３１ａ，３１ｃの端部に位置する引出し電極３１ｂ，３１ｄと対向しており、ノイズ循環容量電極７２ａはコイル電極４３ａ，４３ｃの端部に位置する引出し電極４３ｂ，４３ｄと対向している。従って、引出し電極３１ｂ，３１ｄとノイズ循環容量電極７１ａとの間にはノイズ循環容量Ｃ３７が形成され、引出し電極４３ｂ，４３ｄとノイズ循環容量電極７２ａとの間にはノイズ循環容量Ｃ３８が形成される。このように、積層体内でノイズ循環容量Ｃ３７，Ｃ３８が発生することによりノイズの反射が抑制され、ノイズが除去されることになる。
【００４７】
（第６実施例、図１３及び図１４参照）
第６実施例であるＬＣ複合電子部品（ノイズフィルタアレイ）の分解斜視図を図１３に、等価回路図を図１４に示す。このＬＣ複合電子部品は、概略、コンデンサ部６０Ａ，６０Ｂと第１コイル部３０Ａ，３０Ｂ及び第２コイル部４０Ａ，４０Ｂとを積層した積層体にて構成されている。
【００４８】
コンデンサ部６０Ａは、それぞれ、絶縁層上に形成されたグランド電極６１ａを有するグランド電極層６１Ａと、信号電極６２ａ，６２ｂを有する信号電極層６２Ａと、信号電極６３ａ，６３ｂを有する信号電極層６３Ａとを積層したものである。コンデンサ部６０Ｂは、それぞれ、絶縁層上に形成されたグランド電極６１ａを有するグランド電極層６１Ｂと、信号電極６２ａ，６２ｂを有する信号電極層６２Ｂと、信号電極６３ａ，６３ｂを有する信号電極層６３Ｂとを積層したものである。これらの電極層が積層されることにより、コンデンサＣ１，Ｃ２，Ｃ３，Ｃ４（図１４参照）を形成している。
【００４９】
コイル部３０Ａは、絶縁層上に形成されたコイル電極３１ａ，３１ｃを有するコイル電極層３１からなる。コイル部３０Ｂは、それぞれ、絶縁層上に形成されたコイル電極３４ａ，３４ｂを有するコイル電極層３４と、コイル電極３５ａ，３５ｃを有するコイル電極層３５とを積層したものである。コイル部４０Ａは、絶縁層上に形成されたコイル電極４１ａ，４１ｃを有するコイル電極層４１からなる。コイル部４０Ｂは、それぞれ、絶縁層上に形成されたコイル電極４４ａ，４４ｃを有するコイル電極層４４と、コイル電極４５ａ，４５ｂを有するコイル電極層４５とを積層したものである。
【００５０】
これらの電極層が積層されることにより、各コイル電極は絶縁層に形成したビアホールを介して螺旋状に接続され、コイルＬ１Ａ，Ｌ１Ｂ，Ｌ２Ａ，Ｌ２Ｂ，Ｌ３Ａ，Ｌ３Ｂ，Ｌ４Ａ，Ｌ４Ｂ（図１４参照）を形成している。特に、コイル電極３１ａ，３４ａ及びコイル電極３１ｃ，３４ｂは電極層６１Ａ，６２Ａ，６３Ａを貫通して接続されている。コイル電極４５ａ，４１ａ及びコイル電極４５ｂ，４１ｃは電極層６１Ｂ，６２Ｂ，６３Ｂを貫通して接続されている。また、コイル部３０Ｂとコイル部４０Ｂとの間には、無地の絶縁層５５が積層されている。
【００５１】
以上の積層体の表面には、図１３では形成箇所のみを示しているが、外部電極１pin in、１pin out、２pin in、２pin out、３pin in、３pin out、４pin in、４pin outが形成されている（図１４参照）。コイル電極３１ａの端部に位置する引出し電極３１ｂは外部電極２pin outに接続され、コイル電極３１ｃの端部に位置する引出し電極３１ｄは外部電極３pin outに接続されている。コイル電極３５ａの端部に位置する引出し電極３５ｂは外部電極２pin inに接続され、コイル電極３５ｃの端部に位置する引出し電極３５ｄは外部電極３pin inに接続されている。
【００５２】
コイル電極４４ａの端部に位置する引出し電極４４ｂは外部電極１pin inに接続され、コイル電極４４ｃの端部に位置する引出し電極４４ｄは外部電極４pin inに接続されている。コイル電極４１ａの端部に位置する引出し電極４１ｂは外部電極１pin outに接続され、コイル電極４１ｃの端部に位置する引出し電極４１ｄは外部電極４pin outに接続されている。
【００５３】
また、電極層６２Ａ，６３Ａの信号電極６２ａ，６３ａはコイル電極３１ａ，３４ａに接続され、信号電極６２ｂ，６３ｂはコイル電極３１ｃ，３４ｂに接続されている。電極層６２Ｂ，６３Ｂの信号電極６２ａ，６３ａはコイル電極４５ａ，４１ａに接続され、信号電極６２ｂ，６３ｂはコイル電極４５ｂ，４１ｃに接続されている。
【００５４】
以上のコンデンサ部６０Ａ，６０Ｂ及びコイル部３０Ａ，３０Ｂ，４０Ａ，４０Ｂは図１４に示す等価回路を形成している。それぞれの入出力用の外部電極間にはＬ１Ａ，Ｌ１Ｂ，Ｃ１、Ｌ２Ａ，Ｌ２Ｂ，Ｃ２、Ｌ３Ａ，Ｌ３Ｂ，Ｃ３、Ｌ４Ａ，Ｌ４Ｂ，Ｃ４からなるＬＣ共振回路が形成され、ノイズフィルタとして機能する。
【００５５】
また、引出し電極３５ｄ，４４ｄ間にはノイズ循環容量Ｃ４１が形成され、引出し電極３５ｂ，４４ｂ間にはノイズ循環容量Ｃ４２が形成される。このように、積層体内でノイズ循環容量Ｃ４１，Ｃ４２が発生することによりノイズの反射が抑制され、ノイズが除去されることになる。
【００５６】
（第７実施例、図１５及び図１６参照）
第７実施例であるＬＣ複合電子部品（ノイズフィルタアレイ）の分解斜視図を図１５に、等価回路図を図１６に示す。このＬＣ複合電子部品は、概略、コンデンサ部６０Ａ，６０Ｂと第１コイル部３０Ａ，３０Ｂ及び第２コイル部４０Ａ，４０Ｂとを積層した積層体にて構成されている。
【００５７】
コンデンサ部６０Ａ，６０Ｂとコイル部３０Ａ，３０Ｂ，４０Ａ，４０Ｂの構成は、それぞれ、前記第６実施例（図１３参照）と同様であり、詳細な説明は省略する。積層体の表面に外部電極１pin in、１pin out、２pin in、２pin out、３pin in、３pin out、４pin in、４pin outが形成されている点も前記第６実施例と同様であり、それらとコイル電極との接続関係も同様である。但し、コイル電極３１ａ，３１ｃの端部に位置する引出し電極３１ｂ，３１ｄは近接して配置され、コイル電極３５ａ，３５ｃの端部に位置する引出し電極３５ｂ，３５ｄは近接して配置されている。また、コイル電極４４ａ，４４ｃの端部に位置する引出し電極４４ｂ，４４ｄは近接して配置され、コイル電極４１ａ，４１ｃの端部に位置する引出し電極４１ｂ，４１ｄは近接して配置されている。
【００５８】
そして、電極層６２Ａ，６３Ａの信号電極６２ａ，６３ａはコイル電極３１ａ，３４ａに接続され、信号電極６２ｂ，６３ｂはコイル電極３１ｃ，３４ｂに接続されている。電極層６２Ｂ，６３Ｂの信号電極６２ａ，６３ａはコイル電極４５ａ，４１ａに接続され、信号電極６２ｂ，６３ｂはコイル電極４５ｂ，４１ｃに接続されている。
【００５９】
以上のコンデンサ部６０Ａ，６０Ｂ及びコイル部３０Ａ，３０Ｂ，４０Ａ，４０Ｂは図１６に示す等価回路を形成している。それぞれの入出力用の外部電極間にはＬ１Ａ，Ｌ１Ｂ，Ｃ１、Ｌ２Ａ，Ｌ２Ｂ，Ｃ２、Ｌ３Ａ，Ｌ３Ｂ，Ｃ３、Ｌ４Ａ，Ｌ４Ｂ，Ｃ４からなるＬＣ共振回路が形成され、ノイズフィルタとして機能する。
【００６０】
また、引出し電極４１ｂ，４１ｄ間にはノイズ循環容量Ｃ４３が形成され、引出し電極４４ｂ，４４ｄ間にはノイズ循環容量Ｃ４４が形成される。引出し電極３１ｂ，３１ｄ間にはノイズ循環容量Ｃ４５が形成され、引出し電極３５ｂ，３５ｄ間にはノイズ循環容量Ｃ４６が形成される。このように、積層体内でノイズ循環容量Ｃ４３〜Ｃ４６が発生することによりノイズの反射が抑制され、ノイズが除去されることになる。
【００６１】
（第８実施例、図１７及び図１８参照）
第８実施例であるＬＣ複合電子部品（ノイズフィルタアレイ）の分解斜視図を図１７に、等価回路図を図１８に示す。このＬＣ複合電子部品は、概略、コンデンサ部６０Ａ，６０Ｂと第１コイル部３０Ａ，３０Ｂ及び第２コイル部４０Ａ，４０Ｂとを積層した積層体にて構成されている。
【００６２】
また、コイル部Ｌ２Ｂ，Ｌ１Ｂの間には、絶縁層７５上に形成されたノイズ循環容量電極７５ａを有する電極層及び無地の絶縁層７６，７６が積層されている。ノイズ循環容量電極７５ａはコイル電極３５ａ，３５ｃ，４４ａ，４４ｃにほぼ対応した形状に形成されている。
【００６３】
コンデンサ部６０Ａ，６０Ｂとコイル部３０Ａ，３０Ｂ，４０Ａ，４０Ｂの構成は、それぞれ、前記第６実施例（図１３参照）と同様であり、詳細な説明は省略する。積層体の表面に外部電極１pin in、１pin out、２pin in、２pin out、３pin in、３pin out、４pin in、４pin outが形成されている点も前記第６実施例と同様であり、それらとコイル電極及び信号電極との接続関係も同様である。
【００６４】
以上のコンデンサ部６０Ａ，６０Ｂ及びコイル部３０Ａ，３０Ｂ，４０Ａ，４０Ｂは図１８に示す等価回路を形成している。それぞれの入出力用の外部電極間にはＬ１Ａ，Ｌ１Ｂ，Ｃ１、Ｌ２Ａ，Ｌ２Ｂ，Ｃ２、Ｌ３Ａ，Ｌ３Ｂ，Ｃ３、Ｌ４Ａ，Ｌ４Ｂ，Ｃ４からなるＬＣ共振回路が形成され、ノイズフィルタとして機能する。
【００６５】
また、引出し電極３５ｂ，４４ｂ間にはノイズ循環容量Ｃ５１が形成され、コイル電極３５ａ，３５ｃを含めたノイズ循環容量電極７５ａの周囲にノイズ循環容量Ｃ５２が形成される。引出し電極３５ｄ，４４ｄ間にはノイズ循環容量Ｃ５３が形成され、コイル電極４４ａ，４４ｃを含めたノイズ循環容量電極７５ａの周囲にノイズ循環容量Ｃ５４が形成される。このように、積層体内でノイズ循環容量Ｃ５１〜５４が発生することによりノイズの反射が抑制され、ノイズが除去されることになる。
【００６６】
（第９実施例、図１９及び図２０参照）
第９実施例であるＬＣ複合電子部品（ノイズフィルタアレイ）の分解斜視図を図１９に、等価回路図を図２０に示す。このＬＣ複合電子部品は、概略、コンデンサ部６０Ａ，６０Ｂと第１コイル部３０Ａ，３０Ｂ及び第２コイル部４０Ａ，４０Ｂとを積層した積層体にて構成されている。
【００６７】
また、コイル部Ｌ２Ｂ，Ｌ１Ｂの間には、絶縁層７５上に形成されたノイズ循環容量電極７５ｂを有する電極層及び無地の絶縁層７６，７６が積層されている。ノイズ循環容量電極７５ｂは引出し電極３５ｂ，３５ｄ，４４ｂ，４４ｄにほぼ対応した線状に形成されている。
【００６８】
コンデンサ部６０Ａ，６０Ｂとコイル部３０Ａ，３０Ｂ，４０Ａ，４０Ｂの構成は、それぞれ、前記第６実施例（図１３参照）と同様であり、詳細な説明は省略する。積層体の表面に外部電極１pin in、１pin out、２pin in、２pin out、３pin in、３pin out、４pin in、４pin outが形成されている点も前記第６実施例と同様であり、それらとコイル電極及び信号電極との接続関係も同様である。
【００６９】
以上のコンデンサ部６０Ａ，６０Ｂ及びコイル部３０Ａ，３０Ｂ，４０Ａ，４０Ｂは図２０に示す等価回路を形成している。それぞれの入出力用の外部電極間にはＬ１Ａ，Ｌ１Ｂ，Ｃ１、Ｌ２Ａ，Ｌ２Ｂ，Ｃ２、Ｌ３Ａ，Ｌ３Ｂ，Ｃ３、Ｌ４Ａ，Ｌ４Ｂ，Ｃ４からなるＬＣ共振回路が形成され、ノイズフィルタとして機能する。
【００７０】
また、引出し電極３５ｂ，４４ｂ間にはノイズ循環容量Ｃ５１が形成され、引出し電極３５ｂ，３５ｄを含めたノイズ循環容量電極７５ｂの周囲にノイズ循環容量Ｃ５２が形成される。引出し電極３５ｄ，４４ｄ間にはノイズ循環容量Ｃ５３が形成され、引出し電極４４ｂ，４４ｄを含めたノイズ循環容量電極７５ｂの周囲にノイズ循環容量Ｃ５４が形成される。このように、積層体内でノイズ循環容量Ｃ５１〜５４が発生することによりノイズの反射が抑制され、ノイズが除去されることになる。
【００７１】
（第１０実施例、図２１及び図２２参照）
第１０実施例であるＬＣ複合電子部品（ノイズフィルタアレイ）の分解斜視図を図２１に、等価回路図を図２２に示す。このＬＣ複合電子部品は、前記第６実施例（図１３及び図１４参照）のコイル部３０Ａ，４０Ａ（コイルＬ１Ａ，Ｌ２Ａ，Ｌ３Ａ，Ｌ４ａ）を省略したものであり、概略、コンデンサ部６０Ａ，６０Ｂとコイル部３０，４０とを積層した積層体にて構成されている。
【００７２】
コンデンサ部６０Ａは、それぞれ、絶縁層上に形成されたグランド電極６１ａを有するグランド電極層６１Ａと、信号電極６２ａ，６２ｂを有する信号電極層６２Ａと、信号電極６３ａ，６３ｂを有する信号電極層６３Ａとを積層したものである。コンデンサ部６０Ｂは、それぞれ、絶縁層上に形成されたグランド電極６１ａを有するグランド電極層６１Ｂと、信号電極６２ａ，６２ｂを有する信号電極層６２Ｂと、信号電極６３ａ，６３ｂを有する信号電極層６３Ｂとを積層したものである。これらの電極層が積層されることにより、コンデンサＣ１，Ｃ２，Ｃ３，Ｃ４（図２２参照）を形成している。
【００７３】
コイル部３０は、それぞれ、絶縁層上に形成されたコイル電極３１ａ，３１ｃを有するコイル電極層３１と、コイル電極３２ａ，３２ｃを有するコイル電極層３２とを積層したものである。コイル部４０は、それぞれ、絶縁層上に形成されたコイル電極４１ａ，４１ｃを有するコイル電極層４１と、コイル電極４２ａ，４２ｃを有するコイル電極層４２とを積層したものである。
【００７４】
これらの電極層が積層されることにより、各コイル電極は絶縁層に形成したビアホールを介して螺旋状に接続され、コイルＬ１，Ｌ２，Ｌ３，Ｌ４（図２２参照）を形成している。そして、コイル部３０，４０の間には、幅広の引出し電極８１ａ，８１ｂを形成した絶縁層８１及び幅広の引出し電極８２ａ，８２ｂを形成した絶縁層８２が積層されている。コイル電極３２ａの一端はビアホールを介して引出し電極８１ａに接続され、コイル電極３２ｃの一端はビアホールを介して引出し電極８１ｂに接続されている。また、コイル電極４１ａの一端はビアホールを介して引出し電極８２ａに接続され、コイル電極４１ｃの一端はビアホールを介して引出し電極８２ｂに接続されている。コイル部３０とコンデンサ部６０Ａの間には無地の絶縁層８３が積層され、コイル部４０とコンデンサ部６０Ｂの間には無地の絶縁層８４が積層されている。
【００７５】
以上の積層体の表面には、図２１では形成箇所のみを示しているが、外部電極１pin in、１pin out、２pin in、２pin out、３pin in、３pin out、４pin in、４pin outが形成されている（図２２参照）。コイル電極３１ａの端部及び信号電極層６２Ａ，６３Ａ上の信号電極６２ａ，６３ａは外部電極３pin outに接続され、コイル電極３１ｃの端部及び信号電極層６２Ａ，６３Ａ上の信号電極６２ｂ，６３ｂは外部電極２pin outに接続されている。コイル電極４２ａの端部及び信号電極層６２Ｂ，６３Ｂ上の信号電極６２ａ，６３ａは外部電極４pin outに接続され、コイル電極４２ｃの端部及び信号電極層６２Ｂ，６３Ｂ上の信号電極６２ｂ，６３ｂは外部電極１pin outに接続されている。
【００７６】
コイル電極３２ａの端部に接続されている引出し電極８１ａは外部電極３pin inに接続され、コイル電極３２ｃの端部に接続されている引出し電極８１ｂは外部電極２pin inに接続されている。コイル電極４１ａの端部に接続されている引出し電極８２ａは外部電極４pin inに接続され、コイル電極４１ｃの端部に接続されている引出し電極８２ｂは外部電極１pin inに接続されている。
【００７７】
以上のコンデンサ部６０Ａ，６０Ｂ及びコイル部３０，４０は図２２に示す等価回路を形成している。それぞれの入出力用の外部電極間にはＬ１，Ｃ１、Ｌ２，Ｃ２、Ｌ３，Ｃ３、Ｌ４，Ｃ４からなるＬＣ共振回路が形成され、ノイズフィルタとして機能する。
【００７８】
また、引出し電極８１ａ，８２ａ間にはノイズ循環容量Ｃ６１が形成され、引出し電極８１ｂ，８２ｂ間にはノイズ循環容量Ｃ６２が形成される。このように、積層体内でノイズ循環容量Ｃ６１，Ｃ６２が発生することによりノイズの反射が抑制され、ノイズが除去されることになる。
【００７９】
（実施例のまとめ、図２３〜図２９参照）
図２３（Ａ）に従来の４連ＬＣ複合電子部品におけるノイズの発生状況を示す。４本の信号線１０１〜１０４の入力側から流れてきたノイズＮを反射して出力側への流出を防止する。なお、ノイズＮの一部はグランド線１０５から流出する。通常の４連ＬＣ複合電子部品ではノイズを反射させることによりノイズを除去しているが、実際の実装状態においては必ずしも有効に機能していない。例えば、入力側の信号線路が出力側の信号線路よりも圧倒的に長い場合、反射されたノイズによって入力側のノイズレベルが増加するおそれがある。
【００８０】
このような問題点に対して、前記各実施例では、低反射特性とすることにより入力側のノイズレベルの増加を抑え、優れたノイズ対策効果を得ている。また、各実施例に説明した積層体の内部構造を採用することによりＬ値、Ｃ値を増加させずにノイズ対策効果を向上させ、部品の小型化に寄与する。
【００８１】
図２３（Ｂ）に本発明例における低反射特性のメカニズムを示す。ここでは、各入力側の外部電極間に（図２３（Ｂ）では信号線１０１，１０２間のみを示す）循環容量Ｃが形成されているため、信号線１０１から流入するノイズＮは全反射されずに信号線１０２の入力側又は出力側へと循環され、一部はグランド線１０５にも漏れ、低反射特性を得ることができる。
【００８２】
入力側ポート間に循環容量を形成することにより図２４に示す低反射特性が得られる。図２４は前記第１実施例での反射特性であり、循環容量のＣ値（０．１ｐＦ，１ｐＦ，２ｐＦ，３ｐＦ，５ｐＦ，７ｐＦ，１０ｐＦ）ごとに示している。一方、入出力ポート間の減衰特性（アイソレーション）は図２５に示すように低下する。実際上、信号線間のアイソレーションの大きな低下は誤動作や動作不安定につながるため、循環容量は適性値に設定する必要がある。そこで、反射特性の目標値を−３ｄＢ以下、アイソレーションの目標値を−１４ｄＢ以下とする。反射量−３ｄＢは電力比で１／２であり、実装時での評価においてノイズ周波数範囲で反射量が−３ｄＢ以下であれば、従来のＬＣ複合電子部品に対して優位なノイズ対策効果が得られる（図２６参照）。
【００８３】
アイソレーションについては、４連のパラレル伝送回路において、アイソレーションの低下によってポート間に生じる誘導波形が、図２７に示すように、正規の信号波形の振幅に対してローレベル時は２０％を超えない、ハイレベル時は８０％を下回らないように設定する必要がある。前記目標値−１４ｄＢという値はこの閾値（２０％、８０％）に相当する。また、パラレル伝送回路で使用される信号周波数は１５０ＭＨｚ以下がほとんどであるため、アイソレーションは１５０ＭＨｚにおいて決定する。このような条件を満たす循環容量値は図２４及び図２５に示した特性から２〜７ｐＦであることが好ましい。
【００８４】
次に、循環容量の挿入位置について説明する。循環容量はその値が同じであれば、コイル層間ではなく、引出し電極間に挿入されることが望ましい。図２８（Ａ）に引出し電極間に循環容量Ｃが挿入されている場合を示し、図２８（Ｂ）にコイル層間に循環容量Ｃ１，Ｃ２が挿入されている場合を示す。コイル層間に循環容量Ｃ１，Ｃ２を挿入すると分布定数型となり、引出し部の循環容量の低下を来し、ノイズＮの反射Ｎ'が低下する。しかも、コイル内部に挿入された循環容量Ｃ２のノイズ除去効果は、入力側に挿入された循環容量Ｃ１によって阻害されるため、反射特性が悪化する。
【００８５】
図２９において、特性曲線Ｃは循環容量Ｃを引出し電極間に挿入した場合の反射量を示し、特性曲線Ｄは循環容量Ｃ１，Ｃ２をコイル層間に挿入した場合の反射量を示している。図２９からも明らかなように、循環容量はその値が同じであれば、コイル層間ではなく、引出し電極間に挿入することにより好ましい反射特性を得ることができる。
【００８６】
（他の実施例）
なお、本発明に係るＬＣ複合電子部品は前記各実施例に限定するものではなく、その要旨の範囲内で種々に変更することができる。
【００８７】
例えば、各実施例におけるコイル電極や信号電極の詳細な形状や積層態様などは任意である。また、一つの積層体に内蔵されるコンデンサ部やコイル部の個数も任意である。
【図面の簡単な説明】
【００８８】
【図１】本発明に係るＬＣ複合電子部品の第１実施例を示す分解斜視図である。
【図２】第１実施例の等価回路図である。
【図３】第１実施例の反射特性及び減衰特性を示すグラフである。
【図４】本発明に係るＬＣ複合電子部品の第２実施例を示す分解斜視図である。
【図５】第２実施例の等価回路図である。
【図６】第２実施例の反射特性及び減衰特性を示すグラフである。
【図７】本発明に係るＬＣ複合電子部品の第３実施例を示す分解斜視図である。
【図８】第３実施例の等価回路図である。
【図９】本発明に係るＬＣ複合電子部品の第４実施例を示す分解斜視図である。
【図１０】第４実施例の等価回路図である。
【図１１】本発明に係るＬＣ複合電子部品の第５実施例を示す分解斜視図である。
【図１２】第５実施例の等価回路図である。
【図１３】本発明に係るＬＣ複合電子部品の第６実施例を示す分解斜視図である。
【図１４】第６実施例の等価回路図である。
【図１５】本発明に係るＬＣ複合電子部品の第７実施例を示す分解斜視図である。
【図１６】第７実施例の等価回路図である。
【図１７】本発明に係るＬＣ複合電子部品の第８実施例を示す分解斜視図である。
【図１８】第８実施例の等価回路図である。
【図１９】本発明に係るＬＣ複合電子部品の第９実施例を示す分解斜視図である。
【図２０】第９実施例の等価回路図である。
【図２１】本発明に係るＬＣ複合電子部品の第１０実施例を示す分解斜視図である。
【図２２】第１０実施例の等価回路図である。
【図２３】従来例及び本発明例におけるノイズ除去作用を示すための説明図である。
【図２４】循環容量値ごとの反射特性を示すグラフである。
【図２５】循環容量値ごとの減衰特性を示すグラフである。
【図２６】ノイズ抑制効果を示すグラフである。
【図２７】ポート間の信号干渉度合を示すグラフである。
【図２８】循環容量の挿入位置に応じたノイズ除去作用を示すための説明図である。
【図２９】循環容量の挿入位置に応じた反射特性を示すグラフである。
【符号の説明】
【００８９】
１０，２０，６０…コンデンサ部
３０，４０…コイル部
１１、１２，２１，２２，６１…グランド電極層
１３，１４，２３，２４，６２，６３…信号電極層
３１〜３３，４１〜４３…コイル電極層
３１ｂ，３１ｄ，３２ｂ，３２ｄ，３３ｂ，３３ｄ，４１ｂ，４１ｄ，４２ｂ，４２ｄ，４３ｂ，４３ｄ，８１ａ，８１ｂ，８２ａ，８２ｂ…引出し電極
１pin in，１pin out，２pin in，２pin out，３pin in，３pin out，４pin in，４pin
out…外部電極
５１ａ，５１ｂ，５３ａ，５３ｂ…共振調整電極
６５ａ，６６ａ，６７ａ，６８ａ，７１ａ，７２ａ，７５ａ，７５ｂ…ノイズ循環容量電極
Ｌ１，Ｌ２，Ｌ３，Ｌ４…コイル
Ｃ１，Ｃ２，Ｃ３，Ｃ４…コンデンサ
Ｃ２１〜Ｃ２６，Ｃ３１〜Ｃ３８，Ｃ４１〜Ｃ４６，Ｃ５１〜Ｃ５４，Ｃ６１，Ｃ６２…ノイズ循環容量
【図１】
0004434301.tif 000002
【図２】
0004434301.tif 000003
【図３】
0004434301.tif 000004
【図４】
0004434301.tif 000005
【図５】
0004434301.tif 000006
【図６】
0004434301.tif 000007
【図７】
0004434301.tif 000008
【図８】
0004434301.tif 000009
【図９】
0004434301.tif 000010
【図１０】
0004434301.tif 000011
【図１１】
0004434301.tif 000012
【図１２】
0004434301.tif 000013
【図１３】
0004434301.tif 000014
【図１４】
0004434301.tif 000015
【図１５】
0004434301.tif 000016
【図１６】
0004434301.tif 000017
【図１７】
0004434301.tif 000018
【図１８】
0004434301.tif 000019
【図１９】
0004434301.tif 000020
【図２０】
0004434301.tif 000021
【図２１】
0004434301.tif 000022
【図２２】
0004434301.tif 000023
【図２３】
0004434301.tif 000024
【図２４】
0004434301.tif 000025
【図２５】
0004434301.tif 000026
【図２６】
0004434301.tif 000027
【図２７】
0004434301.tif 000028
【図２８】
0004434301.tif 000029
【図２９】
0004434301.tif 000030